(57)【要約】【課題】外部の環境の変化等に応じて柔軟かつ動的に外光を有効活用したブラインド及び照明の制御を実現することができる照明制御装置を提供する。【解決手段】照明制御装置において、ブラインド４の開閉度を制御するブラインド制御手段１１と、照明装置５を制御する照明制御手段１２と、外光の強度を検出する外光検出手段２と、部屋内の照度を検出する照度検出手段３と、外光の強度が予め定められた規準値以上であるか否かを判定する判定手段１３と、を備える。外光の強度が規準値以上である場合には、ブラインド制御手段１１によりブラインドの開閉度を制御するとともに、照明制御手段１２により照明装置５を消灯するように制御し、外光の強度が規準値未満である場合には、ブラインド制御手段１１によりブラインド４の開閉度を全開に制御するとともに、照明制御手段１２により照明装置５を制御する。【選択図】図１
2014232580.tif 000002
【特許請求の範囲】
【請求項１】
部屋の採光部に設けられたブラインドの開閉度を制御するブラインド制御手段と、
前記部屋内に設けられた照明装置を制御する照明制御手段と、
前記部屋の外から前記採光部を通じて射し込む外光の強度を検出する外光検出手段と、
前記部屋内の予め定められた位置の照度を検出する照度検出手段と、
前記外光検出手段により検出された外光の強度が予め定められた規準値以上であるか否かを判定する判定手段と、を備え、
前記判定手段により外光の強度が規準値以上であると判定された場合に、
前記ブラインド制御手段は、前記照度検出手段により検出される照度が予め定められた値となるようにブラインドの開閉度を制御し、
前記照明制御手段は、前記照明装置を消灯するように制御し、
前記判定手段により外光の強度が規準値未満であると判定された場合に、
前記ブラインド制御手段は、ブラインドの開閉度を全開に制御し、
前記照明制御手段は、前記照度検出手段により検出される照度が予め定められた値となるように照明装置を制御することを特徴とする照明制御装置。
【請求項２】
ブラインドが前記部屋内の利用者により閉じられている場合は、
前記ブラインド制御手段は、ブラインドが閉じた状態を維持し、
前記照明制御手段は、前記照度検出手段により検出される照度が予め定められた値となるように照明装置を制御することを特徴とする請求項１に記載の照明制御装置。
【請求項３】
請求項１又は請求項２に記載の照明制御装置と、
前記照明制御装置の動作履歴を保存し、この保存した動作履歴に基づいて前記照明制御装置の異常の兆候を検出するセンター装置と、を備えたことを特徴とするビル管理システム。
【請求項４】
前記センター装置は、複数の前記照明制御装置の動作を制御することを特徴とする請求項３に記載のビル管理システム。
【発明の詳細な説明】
【技術分野】
【０００１】
この発明は、照明制御装置及びこれを備えたビル管理システムに関するものである。
【背景技術】
【０００２】
従来における照明制御装置においては、照明負荷が接続された制御端末器と、この制御端末器に対し所要照明負荷について照明状態の制御データを伝送して照明制御を行う主操作盤とが伝送路を介して接続された照明制御システムにおいて、ブラインドが接続され、このブラインドの開閉制御を行う制御端末器と、外光の強度を検出する外光センサと、室内の所要位置の照度を検出する照度センサと、外光センサと照度センサとの検出データを収集するデータ収集手段と、制御端末器に対し所要照明負荷の調光制御を行わせる制御データ及びブラインドを開閉制御するための制御データを送出するデータ送出手段と、外光センサの検出データ及びブラインドの開閉度に係るデータと所望照度を得るための調光度とが対応付けられたメモリテーブルが記憶される記憶手段と、データ収集手段により収集された外光センサのデータに応じて、所定順でブラインドの開閉度制御及び所要照明負荷の調光制御を行うべく制御データを送出すると共に、データ収集手段により収集された照度センサのデータを得て、外光センサの検出データ及びブラインドの開閉度に係るデータと所望照度を得るための調光度との対応メモリテーブルを作成するテーブル作成手段と、を備えたものが知られている（例えば、特許文献１参照）。
【先行技術文献】
【特許文献】
【０００３】
【特許文献１】特開平０６−１１１９４２号公報
【特許文献２】特開２００３−０１３６７７号公報
【発明の概要】
【発明が解決しようとする課題】
【０００４】
しかしながら、特許文献１に示された従来における照明制御装置においては、ブラインド及び照明装置の制御に先立って、外光センサの検出データ及びブラインドの開閉度に係るデータと所望照度を得るための調光度との対応メモリテーブルを予め作成しておかねばならない。
【０００５】
また、外部の環境の変化、あるいは、部屋内の利用者による手動制御の実施があった場合に、これらの状況に対応したメモリテーブルが作成されていない場合には、適切な制御を行うことができない。すなわち、外部の環境の変化等に応じて柔軟かつ動的にブラインド及び照明を制御することができず、最適な照明環境を維持できない。
【０００６】
この発明は、このような課題を解決するためになされたもので、外部の環境の変化等に応じて柔軟かつ動的に外光を活用したブラインド及び照明の制御を実現することができる照明制御装置及びこれを備えたビル管理システムを得るものである。
【課題を解決するための手段】
【０００７】
この発明に係る照明制御装置においては、部屋の採光部に設けられたブラインドの開閉度を制御するブラインド制御手段と、前記部屋内に設けられた照明装置を制御する照明制御手段と、前記部屋の外から前記採光部を通じて射し込む外光の強度を検出する外光検出手段と、前記部屋内の予め定められた位置の照度を検出する照度検出手段と、前記外光検出手段により検出された外光の強度が予め定められた規準値以上であるか否かを判定する判定手段と、を備え、前記判定手段により外光の強度が規準値以上であると判定された場合に、前記ブラインド制御手段は、前記照度検出手段により検出される照度が予め定められた値となるようにブラインドの開閉度を制御し、前記照明制御手段は、前記照明装置を消灯するように制御し、前記判定手段により外光の強度が規準値未満であると判定された場合に、前記ブラインド制御手段は、ブラインドの開閉度を全開に制御し、前記照明制御手段は、前記照度検出手段により検出される照度が予め定められた値となるように照明装置を制御する構成とする。
【０００８】
また、この発明に係るビル管理システムにおいては、このように構成された照明制御装置と、前記照明制御装置の動作履歴を保存し、この保存した動作履歴に基づいて前記照明制御装置の異常の兆候を検出するセンター装置と、を備えた構成とする。
【発明の効果】
【０００９】
この発明に係る照明制御装置及びこれを備えたビル管理システムにおいては、外部の環境の変化等に応じて柔軟かつ動的に外光を活用したブラインド及び照明の制御を実現することができるという効果を奏する。
【図面の簡単な説明】
【００１０】
【図１】この発明の実施の形態１に係る照明制御装置を備えたビル管理システムの全体構成を模式的に示すブロック図である。
【図２】この発明の実施の形態１に係る照明制御装置の動作を示すフロー図である。
【発明を実施するための形態】
【００１１】
実施の形態１．
図１及び図２は、この発明の実施の形態１に係るもので、図１は照明制御装置を備えたビル管理システムの全体構成を模式的に示すブロック図、図２は照明制御装置の動作を示すフロー図である。
【００１２】
図１に示すように、この発明の実施の形態１に係る照明制御装置を備えたビル管理システム１は、監視制御装置１０とセンター装置２０とモニタ装置３０とを備えている。監視制御装置１０は、外光センサ２及び照度センサ３によって対象ビルの照明環境を監視するとともに、この監視結果に基づいて、このビルのブラインド４及び照明装置５を制御する。
【００１３】
ブラインド４は、対象ビル内の部屋に設けられた窓等の採光部に設置されている。角度が可変に設けられた複数枚の羽根を備えている。そして、ブラインド４は、これらの羽根の角度を変化させることで、開閉度を変化させ、ブラインド４を通過させる光量を調節することができる。
【００１４】
外光センサ２は、部屋の外からブラインド４が設置された採光部を通じて射し込む外光の強度を検出する。すなわち、外光センサ２は、外部環境の明るさ（太陽光の照度）を計測する。
【００１５】
照明装置５は、対象ビルの部屋内に設置される。照明装置５は、この部屋内を明るく照らすためのものである。照度センサ３は、部屋内の予め定められた位置における照度を検出する。
【００１６】
監視制御装置１０には、ブラインド制御部１１、照明制御部１２及び判定部１３が備えられている。ブラインド制御部１１は、ブラインド４の羽根の角度を変化させることでブラインド４の開閉度を制御する。なお、ブラインド４の羽根の角度（開閉度）は、利用者が部屋内のスイッチ等を操作することによっても制御することができるようにしてもよい。このようなスイッチ等を設けた場合には、スイッチ等の操作による開閉度の情報がブラインド制御部１１へと送られる。
【００１７】
照明制御部１２は、照明装置５の点灯及び消灯並びに点灯中における調光状態を制御する。なお、照明装置５の点灯及び消灯並びに点灯中における調光状態は、利用者が部屋内のスイッチを操作することによっても制御することができるようにしてもよい。このようなスイッチを設けた場合には、スイッチ操作による点灯、消灯、調光状態が照明制御部１２へと送られる。
【００１８】
判定部１３は、外光センサ２により検出された外光の強度が、予め定められた規準値以上であるか否かを判定する。そして、ブラインド制御部１１及び照明制御部１２は、この判定部１３による判定結果に基づいて、それぞれブラインド４及び照明装置５を制御する。
【００１９】
この判定部１３による判定結果に基づく、ブラインド４及び照明装置５の制御について、次に詳しく説明する。
まず、判定部１３により外光の強度が規準値以上であると判定された場合、照明制御部１２は、照明装置５を消灯するように制御する。また、これと併せて、ブラインド制御部１１は、照度センサ３により検出される照度が予め定められた値となるようにブラインド４の開閉度を制御する。
【００２０】
次に、判定部１３により外光の強度が規準値未満であると判定された場合、ブラインド制御部１１は、ブラインド４を全開させるようにブラインド４の開閉度を制御する。また、これと併せて、照明制御部１２は、照度センサ３により検出される照度が予め定められた値となるように照明装置５を点灯させるとともに、必要に応じて調光状態を制御する。
【００２１】
なお、以上のブラインド４及び照明装置５の制御において、ブラインド４及び／又は照明装置５についてスイッチ等により利用者が特定の状態（開閉度、調光状態等）を指定している場合には、これらの指定を加味して目標とする照度を適宜に変化させるようにしてもよい。
【００２２】
センター装置２０は、監視制御装置１０の上位装置である。センター装置２０は、監視制御装置１０によるブラインド４及び照明装置５の動作制御の状態を監視するとともに、監視制御装置１０の動作を制御している。
【００２３】
また、センター装置２０は、監視制御装置１０の動作履歴を保存する図示しない記憶部を備えている。そして、センター装置２０は、この記憶部に記憶されている動作履歴に基づいて、監視制御装置１０の異常の兆候を検出する。この異常の兆候の検出は、例えば、今まで観測された動作パターンとは大きく異なる動作が行われたか否かを動作履歴から判断することで行うことができる。
【００２４】
センター装置２０には、モニタ装置３０が接続されている。モニタ装置３０は、ビル管理システム１に対するユーザインターフェイスを提供する。モニタ装置３０は、センター装置２０により把握されている監視制御装置１０によるブラインド４及び照明装置５の制御状態を表示することができる。また、センター装置２０により監視制御装置１０の異常の兆候が検出された場合には、その旨をモニタ装置３０からシステム管理者等に報知することができる。
【００２５】
なお、モニタ装置３０の近傍に図示しない入力装置を設け、システム管理者がモニタ装置３０に表示される情報を確認しながら、ビル管理システム１に対して指示内容を入力することができるようにしてもよい。
【００２６】
この実施の形態にあっては、照明管理装置を構成する監視制御装置１０は、図２に示す一連のフローに従って、ブラインド４及び照明装置５の制御を行う。
まず、ステップＳ１において、監視制御装置１０は、ブラインド４が、部屋内の利用者の操作により手動で閉じられているか否かを確認する。ブラインド４が手動で閉じられていない場合には、ステップＳ２へと進む。
【００２７】
ステップＳ２においては、判定部１３は、外光センサ２により検出された外光の強度（日照量）が、予め定められた規準値以上であるか否かを判定する。日照量が規準値以上である場合には、ステップＳ３へと進む。
【００２８】
ステップＳ３においては、照明制御部１２は、部屋内の照明装置を消灯するように制御する。続くステップＳ４において、ブラインド制御部１１は、照度センサ３により検出される照度が予め設定された値になるようにするためのブラインド４の羽根の角度、すなわちブラインド４の開閉度を計算する。
【００２９】
そして、ステップＳ５へと進んで、ブラインド制御部１１は、ステップＳ４で計算した開閉度になるように、ブラインド４の羽根の角度を制御する。これで、一連の処理は終了となる。
【００３０】
一方、ステップＳ２において、判定部１３により日照量が規準値未満であると判定された場合には、ステップＳ６へと進む。ステップＳ６においては、照明制御部１２は、照度センサ３により検出される照度が予め設定された値になるようにするための照明装置５の調光度を計算する。
【００３１】
この際、照明装置５の調光度をなるべく低く抑え、照明装置５における消費電力を低減するために、ブラインド制御部１１はブラインド４を全開させることが好ましい。そして、ステップＳ７へと進み、照明制御部１２は、ステップＳ６で計算した調光度になるように照明装置５を点灯制御する。これで、一連の処理は終了となる。
【００３２】
なお、ステップＳ１において、ブラインド４が手動で閉じられていた場合にも、ステップＳ６へと進み、照明装置５の点灯により部屋内が設定された照度となるように制御する。ただし、ステップＳ２からステップＳ６へと遷移した場合と異なり、この場合には、部屋内の利用者による操作を優先してブラインド４は閉じられた状態を維持する。
【００３３】
以上で説明した図２のステップＳ１からステップＳ７までの処理を１サイクルとして、このサイクルを一定の周期でもって繰り返すことにより、外光の強度の変化及び部屋内の利用者による操作状態の変化等に応じて、常に最適な照明環境を維持するよう制御することができる。
【００３４】
なお、以上で説明した図１においては、ビル管理システム１には１つの監視制御装置１０しか図示していない。この点については、ビル管理システム１が複数の監視制御装置１０を備えるようにしてもよい。
【００３５】
ビル管理システム１が複数の監視制御装置１０を備える場合、センター装置２０により、これらの複数の監視制御装置１０を統合的に管理することで、それぞれの監視制御装置１０の制御対象であるブラインド４及び照明装置５を連係させて制御させることが可能となる。センター装置２０により複数の監視制御装置１０の動作を制御することで、よりきめ細かい照明制御を実現することができる。
【００３６】
以上のように構成された照明制御装置においては、前掲の特許文献１に記載されたもののように予め対応メモリテーブルを作成する必要がなく、外光センサ２と照度センサ３の検出結果に基づいて、部屋内の明るさが所望の状態となるようにブラインド４及び照明装置５を適切に制御することができる。したがって、外部の環境の変化、あるいは、利用者による手動制御に応じて柔軟かつ動的にブラインド４及び照明装置５の制御を実現することが可能である。
【００３７】
さらに、この際、まず、外光センサ２により検出された外光の強度が規準値以上であるか否かによって、照明装置５を消灯してブラインド４の開閉度制御のみを行うのか、ブラインド４を全開した上で照明装置５の調光制御を行うのかを判断するようにしている。このため、簡潔な構成及び処理により外光を最大限に有効活用した効率的な照明装置５の運用が可能である。
【００３８】
加えて、ブラインド４が部屋内の利用者により手動で閉じられている場合には、ブラインド４が閉じた状態を維持し、照明装置５の制御によって所望の照度となるようにすることで、部屋内の利用者によるブラインド４の操作を優先しつつ、部屋内の照明環境の最適化を図ることもできる。
【００３９】
また、以上のように構成された照明制御装置である監視制御装置１０を備えたビル管理システム１は、センター装置２０により、監視制御装置１０の動作履歴を保存し、この保存した情報に基づいて監視制御装置１０の動作状況を把握して異常の兆候の検出を行う。そして、異常の兆候の検出結果をモニタ装置３０等を用いてシステム管理者に報知することで、異常の発生前に必要な対応をとることができ、システムの安定性の向上に寄与することができる。
【符号の説明】
【００４０】
１  ビル管理システム、  ２  外光センサ、  ３  照度センサ、  ４  ブラインド、  ５  照明装置、  １０  監視制御装置、  １１  ブラインド制御部、  １２  照明制御部、  １３  判定部、  ２０  センター装置、  ３０  モニタ装置
【図１】
2014232580.tif 000003
【図２】
2014232580.tif 000004